(57)【要約】【課題】利用時における利便性や快適性、組付時の作業性を向上させた上で、見栄えのよい配線収納什器及びテーブルシステムを提供する。【解決手段】照明装置に接続される照明配線２８と、配線接続部材１５に接続されるアダプタ配線１６と、を収納可能な配線収納什器４であって、照明配線２８及びアダプタ配線１６の一部が配されるとともに、照明配線２８が通過する配線通過口４２が開口する第１エリアと、第１エリアと異なり、配線接続部材１５が設けられた第２エリアと、に仕切る前壁９５を有し、前壁９５は、第１エリア及び第２エリア間を連通させ、アダプタ配線１６を通過させる前壁通過孔１１０孔が形成された上側板９６と、上側板９６に着脱可能とされ、第１エリア及び第２エリア間を連通する作業開口９９を開閉する下側板９７と、を有している。【選択図】図５
2018068940.tif 000002
【特許請求の範囲】
【請求項１】
第１配線接続部に接続される第１配線と、
第２配線接続部に接続される第２配線と、を収納可能な配線収納什器であって、
前記第１配線及び前記第２配線の一部が配されるとともに、前記第１配線が通過する第１連通孔が開口する第１エリアと、前記第１エリアと異なり、前記第２配線接続部が設けられた第２エリアと、に仕切る仕切部材を有し、
前記仕切部材は、
前記第１エリア及び前記第２エリア間を連通させ、前記第２配線を通過させる第２連通孔が形成された第１仕切部と、
前記第１仕切部に着脱可能とされ、前記第１エリア及び前記第２エリア間を連通する作業開口を開閉する第２仕切部と、を有している配線収納什器。
【請求項２】
前記第２仕切部を回動可能に支持する支持部を備えている請求項１に記載の配線収納什器。
【請求項３】
前記第２連通孔及び前記第２配線接続部は、上下方向及び水平方向の何れかの方向で同位置に配置されている請求項１又は請求項２に記載の配線収納什器。
【請求項４】
天板を有するテーブルユニットと、
前記天板の下方に配設された請求項１から請求項３の何れか１項に記載の配線収納什器と、を有するテーブルシステムにおいて、
前記第１配線接続部は、前記天板における前記仕切部材に対して前記第１エリア側に位置する部分に配設され、
前記第２配線接続部は、前記天板における前記仕切部材に対して前記第２エリア側に位置する部分に配設されているテーブルシステム。
【発明の詳細な説明】
【技術分野】
【０００１】
本発明は、配線収納什器及びテーブルシステムに関するものである。
【背景技術】
【０００２】
従来から、テーブルユニットと、テーブルユニットの天板に設置され、差込プラグやＬＡＮケーブル等が接続される配線接続部材と、を有するテーブルシステムが知られている（例えば、下記特許文献１参照）。この種のテーブルシステムにおいて、天板の下方には、配線接続部材に接続されるアダプタ配線を収納する配線収納什器が配置されている。
【先行技術文献】
【特許文献】
【０００３】
【特許文献１】特開２０１４−７３２８４号公報
【発明の概要】
【発明が解決しようとする課題】
【０００４】
ところで、上述したテーブルシステムにおいて、例えば利便性を向上させるためには、利用者が天板上を利用する際に邪魔にならない位置であって、利用者が手の届く範囲（天板上における利用者から見て手前側）に、配線接続部材を設置することが好ましい。しかしながら、配線接続部材を手前側に設置するのに伴い、配線収納什器も手前側に移動させると、天板の下方空間（下肢空間）が狭くなる。この場合には、配線収納什器と利用者の足とが干渉する等のおそれがあり、快適性が低下するという課題がある。
【０００５】
また、複数の電気機器（配線接続部材や照明装置等）が天板上に設置される場合には、配線接続部材のレイアウトのみによって配線収納什器を移動させることが難しい。
さらに、上述したテーブルシステムにおいて、天板の下方空間での見栄えを向上させるためには、各種電気機器に接続される配線が可能な限り配線収納什器に収納されていることが好ましい。しかしながら、配線が配線収納什器に収納されていると、電気機器の組付時において、配線の接続作業の作業性が悪いという課題がある。
【０００６】
本発明は、上記事情に鑑みてなされたものであり、利用時における利便性や快適性、組付時の作業性を向上させた上で、見栄えのよい配線収納什器及びテーブルシステムを提供することを目的とする。
【課題を解決するための手段】
【０００７】
上記目的を達成するために、本発明の一態様に係る配線収納什器は、第１配線接続部に接続される第１配線と、第２配線接続部に接続される第２配線と、を収納可能な配線収納什器であって、前記第１配線及び前記第２配線の一部が配されるとともに、前記第１配線が通過する第１連通孔が開口する第１エリアと、前記第１エリアと異なり、前記第２配線接続部が設けられた第２エリアと、に仕切る仕切部材を有し、前記仕切部材は、前記第１エリア及び前記第２エリア間を連通させ、前記第２配線を通過させる第２連通孔が形成された第１仕切部と、前記第１仕切部に着脱可能とされ、前記第１エリア及び前記第２エリア間を連通する作業開口を開閉する第２仕切部と、を有している。
本態様によれば、第２連通孔を通して第２エリアに第２配線を配索できるので、第２配線接続部を仕切部材に対して第２エリア側（例えば、利用者から見て手前側）に配置できる。これにより、仕切部材を利用者から遠ざけた上で、利用者から手の届きやすい範囲に第２配線接続部を配置できる。これにより、仕切部材と利用者との干渉を抑制して快適性を向上させることができるとともに、第２配線接続部の利便性を向上させることができる。
しかも、第１配線が通過する第１連通孔が、第１エリア内に連通しているため、複数の配線接続部に配線を接続する場合であっても、仕切部材に対して第１エリア側に配線を可能な限り隠すことができる。そのため、見栄えを向上させることができる。
そして、本態様では、仕切部材において、第２仕切部が作業開口を開閉可能に構成されている。そのため、配線の接続作業時には作業開口を通じて第１エリア内にアクセスすることができる。特に、第２連通孔が形成されていない第２仕切部が開閉されるので、第２連通孔内に第２配線を通過させた状態で、接続作業を行うことができる。これにより、各配線接続部の組付時の作業性や安全性を向上させることができる。
【０００８】
上記態様において、前記第２仕切部を回動可能に支持する支持部を備えていてもよい。
本態様によれば、第２仕切部が支持部に回動可能に支持されているため、第２仕切部の開動作時において、第２仕切部が支持部を支点にして回動することになる。これにより、第２仕切部の開動作をスムーズに行うことができるとともに、第２仕切部が落下等するのを抑制でき、作業性の更なる向上を図ることができる。
【０００９】
上記態様において、前記第２連通孔及び前記第２配線接続部は、上下方向及び水平方向の何れかの方向で同位置に配置されていてもよい。
本態様によれば、第２連通孔及び第２配線接続部が上下方向及び水平方向の何れかで同位置に配置されているため、第２連通孔と第２配線接続部との間の距離を短縮できる。そのため、第２エリアに配索される第２配線の長さを短縮でき、見栄えを向上させることができる。
【００１０】
本発明の一態様に係るテーブルシステムは、天板を有するテーブルユニットと、前記天板の下方に配設された上記態様の配線収納什器と、を有するテーブルシステムにおいて、前記第１配線接続部は、前記天板における前記仕切部材に対して前記第１エリア側に位置する部分に配設され、前記第２配線接続部は、前記天板における前記仕切部材に対して前記第２エリア側に位置する部分に配設されている。
本態様によれば、上記態様の配線収納什器を備えているため、天板の下方空間（下肢空間）を確保することができ、利用者と仕切部との干渉を抑制して快適性を向上させることができるとともに、第２配線接続部の利便性を向上させることができる。その結果、利用時における利便性や快適性、組付時の作業性を向上させた上で、見栄えのよい配線収納什器及びテーブルシステムを提供できる。
【発明の効果】
【００１１】
本発明の一態様に係る配線収納什器及びテーブルシステムによれば、利用時における利便性や快適性、組付時の作業性を向上させた上で、見栄えのよい配線収納什器及びテーブルシステムを提供できる。
【図面の簡単な説明】
【００１２】
【図１】実施形態に係るテーブルシステムの斜視図である。
【図２】実施形態に係るテーブルシステムを前方から見た正面図である。
【図３】図１のＩＩＩ−ＩＩＩ線に相当する断面図である。
【図４】実施形態に係るテーブルシステムを天板の下方から見た斜視図である。
【図５】図１のＶ−Ｖ線に沿う断面図である。
【図６】図１のＶＩ−ＶＩ線に沿う断面図である。
【図７】第１変形例に係る図であって、収納箱の拡大断面図である。
【発明を実施するための形態】
【００１３】
次に、本発明の実施形態を図面に基づいて説明する。本実施形態では、本発明の配線収納什器をテーブルシステム１に採用した場合について説明する。以下の説明では、床面Ｆの法線方向を上下方向（矢印ＵＰが上方）とし、上下方向に直交する方向をそれぞれ前後方向（矢印ＦＲが前方）及び左右方向（矢印ＬＨが左側）として説明する。
【００１４】
［テーブルシステム］
図１は、テーブルシステム１の斜視図である。図２は、テーブルシステム１を前方から見た正面図である。
図１、図２に示すテーブルシステム１は、例えば公共施設（例えば、学校や図書館等）や店舗等に設けられた閲覧スペース等に設置され、複数の利用者が資料等を閲覧する際に用いられる。テーブルシステム１は、テーブルユニット２と、間仕切りユニット３と、配線収納什器４と、を有している。なお、テーブルシステム１の設置場所は、上述した各施設の他、オフィス等であっても構わない。
【００１５】
＜テーブルユニット＞
テーブルユニット２は、脚体１１と、天板１２と、を有している。
脚体１１は、床面Ｆ上に設置されている。脚体１１は、左右方向から見た側面視で例えば矩形枠状に形成されている。本実施形態において、脚体１１は、左右方向に間隔をあけて例えば一対配置されている。なお、脚体１１の数や形状等は、適宜変更が可能である。
【００１６】
天板１２は、各脚体１１の上端部同士の間に架け渡された状態で、各脚体１１に下方から支持されている。本実施形態において、天板１２は、左右方向を長手方向とし、前後方向を短手方向とする長方形状に形成されている。
【００１７】
図１に示すように、天板１２における前後方向の中央部には、天板１２を上下方向に貫通するアダプタ収容孔１３が形成されている。アダプタ収容孔１３は、例えば前後方向で間隔をあけて２列、左右方向に間隔をあけて３つの合計６つ形成されている。各アダプタ収容孔１３には、配線接続部材１５が収容されている。配線接続部材１５は、差込プラグやＬＡＮケーブル等が差し込まれるアダプタを有する箱型のものである。本実施形態において、配線接続部材１５は、上面が天板１２の上面に露出し、かつ下部が天板１２の下面に露出した状態で、アダプタ収容孔１３内に収容されている。配線接続部材１５には、天板１２の下方において、アダプタ配線１６（図５参照）が接続されている。
【００１８】
＜間仕切りユニット＞
間仕切りユニット３は、天板１２を利用者毎の個別ブースＣに仕切っている。間仕切りユニット３は、天板１２上を前後に仕切る前後仕切部２１と、天板１２上を左右に仕切る左右仕切部２２と、を有している。
本実施形態において、前後仕切部２１は、天板１２における前後方向の中央部に設けられている。左右仕切部２２は、天板１２上において左右方向に間隔をあけて複数（例えば、４つ）設けられている。したがって、本実施形態の間仕切りユニット３は、天板１２を、前後方向で２列、左右方向に３つの合計６つの個別ブースＣに仕切っている。本実施形態のテーブルシステム１では、各個別ブースＣに対応して椅子（不図示）等を置くことで、利用者は他の利用者と視線を合わせることなく、各個別ブースＣで資料等を閲覧できるようになっている。なお、上述した配線接続部材１５（収容孔１３）は、各個別ブースＣにおいて、前後仕切部２１寄りの部分に設置されている。
【００１９】
図３は、図１のＩＩＩ−ＩＩＩ線に相当する断面図である。
図１、図３に示すように、上述した前後仕切部２１は、配管２４と、支持具２５（図３参照）と、第１幕板２６と、照明装置２７と、を主に備えている。
配管２４は、天板１２の前後方向の中央部において、左右方向に間隔をあけて複数配置されている。各配管２４は、天板１２を上下方向に貫通する貫通孔３１（図３参照）を通して、天板１２に対して上下両側に突出している。各配管２４は、天板１２の下面に支持具２５を介して固定されている。なお、天板１２の貫通孔３１内には、貫通孔３１内において各配管２４の周囲を取り囲むスリーブ３２が挿入されている。
【００２０】
図４は、テーブルシステム１を天板１２の下方から見た斜視図である。以下の説明では、配管２４及び支持具２５のうち、最も右側に配置された配管２４Ａ及び支持具２５Ａについて主に説明し、他の配管２４及び支持具２５の構成については説明を省略する。
図３、図４に示すように、上述した配管２４Ａは、上下方向に延びる筒部３３と、筒部３３の下端開口を閉塞する蓋部３４と、を有している。
筒部３３は、上下方向に延びる中空円筒状とされている。筒部３３は、天板１２の貫通孔３１内において、スリーブ３２の内側を通って天板１２を上下方向に貫通している。筒部３３の下端部（天板１２の下面よりも下方に位置する部分）において、周方向の一部（本実施形態では、左側を向く部分）には、スリット３６が形成されている。スリット３６は、筒部３３を径方向に貫通するとともに、上下方向に沿って延在している。本実施形態において、スリット３６は筒部３３の下端面で開放されている。
【００２１】
蓋部３４は、筒部３３の下端部における内周面に例えば溶接等によって固定されている。蓋部３４には、蓋部３４を上下方向に貫通する雌ねじ部４１が形成されている。本実施形態において、雌ねじ部４１は、内径が筒部３３の内径よりも小さく形成されるとともに、筒部３３の軸線と同軸に配置されている。なお、本実施形態において、蓋部３４の下面は、筒部３３の下端面よりも上方に位置している。但し、蓋部３４の下面は、筒部３３と面一に配置されていても、蓋部３４の下面に対して下方に位置していても構わない。
【００２２】
上述したスリット３６の開口縁と蓋部３４とで囲まれた部分は、筒部３３の内外を連通させる配線通過口４２を構成している。本実施形態において、配線通過口４２は、左側（左右方向の内側）に向けて開口している。配管２４Ａは、配線通過口４２を通して内部に照明配線２８を配索可能に構成されている。なお、本実施形態では、配線通過口４２がスリット３６の開口縁と蓋部３４とで区画された構成について説明したが、この構成のみに限られない。すなわち、配線通過口４２は、配管２４Ａにおける天板１２よりも下方に位置する部分に形成されていれば、筒部３３のみに形成しても、蓋部３４のみに形成しても構わない。
【００２３】
支持具２５Ａは、板材がハット型に屈曲されて構成されている。具体的に、支持具２５は、筒部３３の下端面に対向して配置された第１接続部４４と、天板１２の下面に対向して配置された一対の第２接続部４５と、第１接続部４４及び各第２接続部４５間を連結する連結片４６と、を備えている。
第１接続部４４は、筒部３３の下端面に近接又は当接している。第１接続部４４には、上下方向から見た平面視で上述した雌ねじ部４１と重なり合う位置に、第１接続部４４を上下方向に貫通する第１挿通孔４８が形成されている。第１挿通孔４８内には、下方から第１ねじ５１が挿通されている。第１ねじ５１は、第１挿通孔４８を通して上述した雌ねじ部４１内に螺着されている。これにより、第１接続部４４と蓋部３４とが上下方向に締結されている。
【００２４】
各連結片４６は、第１接続部４４における前後方向の両端部からそれぞれ上方に延設されている。すなわち、連結片４６は、配管２４Ａに対して前後方向の両側に位置する部分を上下方向に延在している。連結片４６の上端部は、天板１２の下面に達している。なお、連結片４６は、配線通過口４２内を通過する照明配線２８と干渉しない位置であれば、第１接続部４４の左右方向の両端部に連設されていても構わない。
【００２５】
第２接続部４５は、各連結片４６の上端部から前後方向の外側（前後方向の中央部から離間する方向）にそれぞれ張り出している。各第２接続部４５には、第２接続部４５を上下方向に貫通する第２挿通孔５２（図３参照）が形成されている。上述した天板１２において、平面視で各第２挿通孔５２とそれぞれ重なり合う部分には、埋め込みナット５４が各別に埋設されている。各埋め込みナット５４には、各第２挿通孔５２内を通して下方から第２ねじ５５が螺着されている。これにより、第２接続部４５は、第２ねじ５５の頭部と天板１２との間に挟持された状態で天板１２に連結されている。
【００２６】
本実施形態では、各配管２４のうち、左右両端に位置する配管２４Ａ，２４Ｂ内に、照明装置２７から引き出された照明配線２８が上下方向に配索される。配管２４Ａ，２４Ｂ内に配索された照明配線２８は、天板１２の下方において、配線通過口４２を通して配管２４Ａ，２４Ｂから引き出される。また、本実施形態では、照明配線２８が配索される配管は、各配管２４の中から適宜選択可能である。
【００２７】
図１、図２に示すように、第１幕板２６は、天板１２の上方において、天板１２の上面に対して間隔をあけた状態で、天板１２の左右全域に亘って延在している。第１幕板２６には、上述した各配管２４の上部（天板１２よりも上方に位置する部分）が下方から挿入されている。本実施形態において、配管２４の上部は、第１幕板２６内において、図示しない固定部材を介して第１幕板２６に固定されている。この場合、配管２４の上端面は、第１幕板２６内において第１幕板２６の上壁よりも下方に位置している。
【００２８】
本実施形態では、第１幕板２６において、配管２４Ａ，２４Ｂよりも上方に位置する位置する部分には、第１幕板２６の内外を連通させる連通孔５７が形成されている。図２に示す例において、連通孔５７は、第１幕板２６において、前壁における右側端部、及び後壁における左側端部にそれぞれ形成されている。照明装置２７から引き出された照明配線２８は、各連通孔５７を通して第１幕板２６内に進入している。第１幕板２６内に進入した照明配線２８は、配管２４Ａ，２４Ｂの上端開口を通して配管２４Ａ，２４Ｂ内にそれぞれ進入している。なお、連通孔５７の形成位置は、第１幕板２６において、照明配線２８が配索された配管２４Ａ，２４Ｂと、照明装置２７と、の間に位置する部分に形成されていれば、適宜変更が可能である。
【００２９】
照明装置２７は、第１幕板２６の前後両壁において、配管２４の上端面よりも上方に位置する部分にそれぞれ設置されている。具体的に、一方の照明装置２７は、第１幕板２６の前壁から前方に片持ちで突出している。他方の照明装置２７は、第１幕板２６の後壁から後方に片持ちで突出している。各照明装置２７は、第１幕板２６の左右全域に亘って延在している。各照明装置２７には、対応する連通孔５７から引き出された照明配線２８がそれぞれ接続される。
【００３０】
各左右仕切部２２は、前後仕切部２１に対して前後両側に位置する部分に、左右方向に間隔をあけて配列されている。各左右仕切部２２のうち、左右両端に位置する左右仕切部２２は、天板１２上における左右両端部に配置されている。そして、前後仕切部２１と隣り合う左右仕切部２２とで区画された領域は、上述した個別ブースＣを構成している。
【００３１】
各左右仕切部２２は、第２幕板５８と、支柱５９と、をそれぞれ備えている。
各第２幕板５８は、第１幕板２６の前後両壁からそれぞれ前後方向の外側に突出している。
支柱５９は、各第２幕板５８における前後方向の外側端部から下方に延設されている。支柱５９の下端部は、天板１２に固定されている。
【００３２】
＜配線収納什器＞
配線収納什器４は、図示しない電源と上述した照明装置２７や配線接続部材１５との間で配線（アダプタ配線１６及び照明配線２８）を収納している。配線収納什器４は、各脚体１１にそれぞれ連結された一対の連結パネル７１と、連結パネル７１に支持された収納箱７２と、を主に備えている。
各連結パネル７１は、各脚体１１において左右両枠間を架け渡すようにそれぞれ配置されている。各連結パネル７１は、各脚体１１の左右両枠及び上枠に固定されている。
【００３３】
収納箱７２は、左右方向に並んで２つ配置されている。各収納箱７２は、天板１２の下面から吊り下げられた状態で、左右方向に延在している。本実施形態において、各収納箱７２と床面Ｆとの間には、作業可能な隙間Ｓが形成されている。また、各収納箱７２は、左右方向の内側端部（左右方向の中央部に向かう方向の端部）同士が互いに連結された状態で、上述した各連結パネル７１における前後方向の中央部同士の間を架け渡している。なお、各収納箱７２は、左右対称の構成であるため、以下の説明では特に必要がない限りは右側収納箱７２Ｒを例にして説明し、左側収納箱７２Ｌの説明を省略する。但し、一つの収納箱７２によって各連結パネル７１間を架け渡しても構わない。
【００３４】
図５は、図１のＶ−Ｖ線に沿う断面図である。
図５に示すように、右側収納箱７２Ｒは、上方に向けて開口する箱型に形成されている。右側収納箱７２Ｒの後壁８１及び底壁８８（図６参照）は、例えば一枚の板材が屈曲形成されて構成されている。後壁８１は、天板１２の下面において、上述した配管２４及び支持具２５よりも後側であって、後列の収容孔１３（配線接続部材１５）よりも前側に位置する部分から下方に延設されている。後壁８１の上端部は、前側に屈曲されて構成された上フランジ部８２を介して天板１２の下面に固定されている。また、後壁８１の右側端部は、前側に屈曲されて構成された右フランジ部８３を介して例えば右側の連結パネル７１に固定されている。
【００３５】
後壁８１の上部には、後壁８１を前後方向に貫通する後壁通過孔８５（図５では１つのみ示す）が形成されている。後壁通過孔８５は、後列の配線接続部材１５（収容孔１３）に対応して各収納箱７２Ｒ，７２Ｌの後壁８１に合計で３つ形成されている。本実施形態では、右側収納箱７２Ｒの後壁８１に、２つの後壁通過孔８５が左右方向に間隔をあけて形成されている。各後壁通過孔８５のうち、左右両端に位置する後壁通過孔（図５では後壁通過孔８５Ａのみ示す）は、対応する配線接続部材１５（図５では配線接続部材１５Ａのみ示す）と左右方向で同位置に配置されている。但し、対応する後壁通過孔８５及び配線接続部材１５同士のうち、何れかの後壁通過孔８５及び配線接続部材１５同士が左右方向で同位置に配置されていても構わない。この場合、対応する後壁通過孔８５及び配線接続部材１５同士の少なくとも一部が左右方向で同等の位置に配置されていれば構わない。
【００３６】
各後壁通過孔８５内には、後壁開閉扉８６が嵌め込まれている。後壁開閉扉８６は、スライド移動や回動等することで、後壁通過孔８５を開閉する。
【００３７】
図６は、図１のＶＩ−ＶＩ線に沿う断面図である。
図６に示すように、後壁８１の下端には、前方に向けて底壁８８が一体に連なっている。底壁８８は、クランク状に形成されている。すなわち、底壁８８は、後側底壁８８ａの前端縁と前側底壁８８ｂとの後端縁とが上下方向に延びる立ち上がり壁部８８ｃを介して連設された構成になっている。但し、左右方向から見た側面視において、底壁８８の全体が前後方向に直線状に延在する構成であっても構わない。
【００３８】
後側底壁８８ａの左右両端部には、後側底壁８８ａを上下方向に貫通する底壁通過孔８９が形成されている。底壁通過孔８９内には、底壁通過孔８９を開閉する底壁蓋部材９０が嵌め込まれている。
【００３９】
後側底壁８８ａには、底壁８８を前後に仕切る仕切壁９１が配設されている。仕切壁９１は、後側底壁８８ａにおける底壁通過孔８９よりも前方に位置する部分から、立ち上がり壁部８８ｃに沿って上方に延在している。
前側底壁８８ｂは、前後方向の長さが後側底壁８８ａよりも短くなっている。前側底壁８８ｂにおける左右両端部には、前側底壁８８ｂを上下方向に貫通する第１固定孔９２が形成されている。
【００４０】
図５、図６に示すように、右側収納箱７２Ｒの前壁９５は、天板１２の下面において、上述した配管２４及び支持具２５よりも前側であって、前列の収容孔１３（配線接続部材１５）よりも後側に位置する部分から下方に延設されている。したがって、本実施形態の右側収納箱７２Ｒは、天板１２の下方において、配管２４及び支持具２５を収容している。すなわち、本実施形態において、収納箱７２の内部はアダプタ配線１６及び照明配線２８が収納された第１エリアを構成し、収納箱７２の外部は第１エリアと異なる第２エリア（天板１２下方の下肢空間）を構成している。
【００４１】
本実施形態の前壁９５は、上側板９６と、上側板９６の下方に位置して上側板９６に着脱可能に構成された下側板９７と、を有している。本実施形態では、下側板９７が取り外された状態において、上側板９６と上述した底壁８８とで画成された部分は、右側収納箱７２Ｒの内外を連通させる作業開口９９を構成している。
【００４２】
図５に示すように、上側板９６は、板材が屈曲形成されて構成されている。具体的に、上側板９６は、後壁８１に前後方向で対向する上本体部１００と、上本体部１００の上端に連なる上フランジ部１０１と、上本体部１００の下端に連なる係止部１０２と、係止部１０２の後端に連なる規制部１０３と、を有している。
上フランジ部１０１は、上本体部１００の上端から後方に延設されている。上フランジ部１０１は、天板１２の下面に固定されている。
【００４３】
上本体部１００には、上本体部１００を前後方向に貫通する前壁通過孔１１０（図５では１つのみ示す）が形成されている。前壁通過孔１１０は、前列の配線接続部材１５（収容孔１３）に対応して各収納箱７２Ｒ，７２Ｌの上本体部１００に合計で３つ形成されている。本実施形態では、右側収納箱７２Ｒの上本体部１００に、１つの前壁通過孔１１０が形成されている。各前壁通過孔１１０のうち、左右両端に位置する前壁通過孔（図５では前壁通過孔１１０Ａのみ示す）は、対応する配線接続部材１５（図５では配線接続部材１５Ｂのみ示す）と左右方向で同位置に配置されている。前壁通過孔１１０内には、前壁通過孔１１０を開閉する前壁開閉扉１１１が嵌め込まれている。なお、上本体部１００の下端は、上述した支持具２５よりも下方に位置している。
【００４４】
係止部１０２は、上本体部１００の下端から後方に延設されている。係止部１０２における左右両端部には、係止部１０２を上下方向に貫通する係止孔１１２が形成されている。
規制部１０３は、係止部１０２の後端から下方に延設されている。
【００４５】
下側板９７は、上側板９６及び底壁８８に対する着脱に伴い、上述した作業開口９９を開閉する。下側板９７は、板材が屈曲形成されて構成されている。本実施形態において、下側板９７の上下方向の長さは、上側板９６の上下方向の長さよりも長くなっている。但し、下側板９７の上下方向の長さは、上側板９６の上下方向の長さ以下であっても構わない。
【００４６】
下側板９７は、後壁８１に前後方向で対向する下本体部１２０を備えている。下本体部１２０の上部における左右両端部には、下本体部１２０を前後方向で貫通する取付孔１２１が形成されている。取付孔１２１内には、ロック部材１２２が取り付けられている。ロック部材１２２は、例えば取付孔１２１内に保持された筐体１２３と、筐体１２３の前面に露出して上下スライド可能な操作部１２４と、操作部１２４のスライド操作に連動して筐体１２３の上面に対して上下動可能な爪部１２５と、を備えている。
【００４７】
爪部１２５は、筐体１２３内に設けられた図示しない付勢部材によって上方に付勢されている。爪部１２５は、下側板９７において下本体部１２０の上端から後方に連なる上連設部１３０に形成された貫通孔１３１を通して、上述した係止孔１１２内に係止されている。なお、本実施形態のロック部材１２２は、スライド操作に応じて係止部１０２との着脱が行われる構成について説明したが、この構成のみに限らず、例えば回転操作に応じて係止部１０２との着脱が行われても構わない。
【００４８】
図６に示すように、下側板９７において、下本体部１２０の下端から後方に連なる下連設部１４０の後端には、立ち上がり壁部１４１が上方に向けて延設されている。下側板９７において、立ち上がり壁部１４１の上端には、後方に向けて固定壁１４２が延設されている。固定壁１４２は、下側板９７の装着状態（作業開口９９の閉状態）において、上述した前側底壁８８ｂの上面に重ね合わされている。固定壁１４２において、上下方向から見た平面視で第１固定孔９２と重なる位置には、固定壁１４２を上下方向に貫通する第２固定孔１４３が形成されている。
【００４９】
固定壁１４２の上面において、第２固定孔１４３と左右方向で同位置には、ナット１４５が固定されている。固定壁１４２と前側底壁８８ｂは、第１固定孔９２及び第２固定孔１４３に下方から挿通されたねじ１４６が固定壁１４２の上方で螺着されることで、上下方向で締結されている。なお、図５の例において、ねじ１４６の頭部は、立ち上がり壁部８８ｃ，１４１、固定壁１４２及び前側底壁８８ｂで囲まれた空間内に収容されている。したがって、ねじ１４６の頭部は、下連設部１４０及び後側底壁８８ａの下面よりも下方に突出しないようになっている。
【００５０】
次に、上述したテーブルシステム１において、前後仕切部２１の組付作業について説明する。
まず、下側板９７を取り外して作業開口９９を開放させる。具体的には、ねじ１４６の螺着を解除して前側底壁８８ｂと固定壁１４２との締結を解除する。その後、ロック部材１２２の操作部１２４をスライド操作して、爪部１２５と係止部１０２との係止を解除する。この状態で、下側板９７は、固定壁１４２を介して前側底壁８８ｂに下方から支持されている。そのため、下側板９７の上部を把持して前側に移動させることで、下側板９７が前側底壁８８ｂ及び固定壁１４２の当接部分を支点にして回動する。これにより、下側板９７が取り外され、作業開口９９が開放される。
【００５１】
次に、作業開口９９を通じて支持具２５を天板１２の下面に取り付ける。具体的には、第２接続部４５を天板１２の下面に当接させた状態で、第２挿通孔５２を通して埋め込みナット５４に第２ねじ５５を螺着する。
【００５２】
続いて、配管２４を天板１２に固定する。本実施形態において、配管２４は、少なくとも第１幕板２６とともにユニット化された状態（以下、「パネル」という場合がある。）で、天板１２に組み付けられる。具体的には、まずパネルの各配管２４を天板１２の各貫通孔３１内に上方から挿入する。その後、支持具２５の第１接続部４４に形成された第１挿通孔４８を通して、配管２４の雌ねじ部４１に第１ねじ５１を螺着する。これにより、配管２４及び第１接続部４４が第１ねじ５１により上下方向で締結される。その後、第１幕板２６に照明装置２７を取り付けることで、前後仕切部２１の組付作業が完了する。なお、パネルは、第１幕板２６に予め照明装置２７が取り付けられた状態であっても構わない。
【００５３】
次に、照明配線２８及びアダプタ配線１６の引き回し作業について説明する。
照明装置２７から引き出された照明配線２８は、連通孔５７を通して第１幕板２６内に進入した後、配管２４内を通して天板１２の下方まで配索される。天板１２の下方まで配索された照明配線２８は、配線通過口４２を通って配管２４の外部に引き出される。配管２４の外部に引き出された照明配線２８は、収納箱７２内を下方に配索され、各底壁通過孔８９を通して収納箱７２の外部に引き出された後、図示しない電源に接続される。
一方、配線接続部材１５に接続されたアダプタ配線１６は、後壁通過孔８５や前壁通過孔１１０を通して収納箱７２内に進入する。収納箱７２内に進入したアダプタ配線１６は、収納箱７２内を下方に配索され、各底壁通過孔８９を通して収納箱７２の外部に引き出された後、図示しない電源に接続される。
【００５４】
上述した各種作業の終了後には、下側板９７を装着して作業開口９９を閉塞する。具体的には、下側板９７の固定壁１４２を前側底壁８８ｂに上方から引っ掛けた状態で、固定壁１４２と前側底壁８８ｂとの接触部分を支点にして下側板９７を上方に回動させる。続いて、ロック部材１２２の爪部１２５を係止部１０２に係止させた後、ねじ１４６によって固定壁１４２と前側底壁８８ｂとを締結する。
これにより、作業開口９９が閉塞される。なお、作業開口９９を通して行う作業は、前後仕切部２１の組付作業や配線の引き回し作業に限らず、その他の各種メンテナンス作業等にも利用できる。
【００５５】
本実施形態では、前壁９５が、前壁通過孔１１０を有する上側板９６と、上側板９６に着脱可能とされ、作業開口９９を開閉する下側板９７と、を有する構成とした。
この構成によれば、前壁通過孔１１０を通して収納箱７２の内外にアダプタ配線１６を配索できるので、配線接続部材１５を収納箱７２に対して前後方向の外側（利用者から見て天板１２における手前側）に配置できる。これにより、収納箱７２を利用者から遠ざけた上で、利用者から手の届きやすい範囲に配線接続部材１５を配置できる。これにより、天板１２の下方空間（下肢空間）を確保することができ、利用者と前壁９５との干渉を抑制して快適性を向上させることができるとともに、配線接続部材１５の利便性を向上させることができる。
しかも、照明配線２８が通過する配線通過口４２が、前壁９５に対して前後方向の内側で開口しているため、複数の電気機器が天板１２に設置される場合であっても、天板１２の下方空間において、配線を可能な限り隠すことができる。そのため、見栄えを向上させることができる。
そして、本実施形態では、前壁９５において、下側板９７が上側板９６に対して着脱可能に構成されているため、配線の接続作業時において作業開口９９を通じて収納箱７２内にアクセスすることができる。特に、前壁通過孔１１０が形成されていない下側板９７が着脱されるので、前壁通過孔１１０内にアダプタ配線１６を通過させた状態で、接続作業を行うことができる。これにより、組付時の作業性や安全性を向上させることができる。
【００５６】
本実施形態では、下側板９７が前側底壁８８ｂに下方から支持されているため、下側板９７の取り外し時において、上側板９６と下側板９７との装着解除後、下側板９７が前側底壁８８ｂ及び固定壁１４２の当接部分を支点にして回動することになる。これにより、上側板９６の開動作をスムーズに行うことができるとともに、下側板９７が落下等するのを抑制でき、作業性の更なる向上を図ることができる。
【００５７】
本実施形態では、対応する前壁通過孔１１０及び配線接続部材１５同士が左右方向で同位置に配置されているため、前壁通過孔１１０と配線接続部材１５との間の距離を短縮できる。そのため、天板１２の下方において、収納箱７２の外部に配索されるアダプタ配線１６の長さを短縮でき、見栄えを向上させることができる。
【００５８】
そして、本実施形態のテーブルシステム１は、上述した配線収納什器４を備えているので、利用時における利便性や快適性、組付時の作業性を向上させた上で、見栄えのよい配線収納什器及びテーブルシステムを提供できる。
【００５９】
（第１変形例）
次に、上述した実施形態の第１変形例について説明する。図７は、第１変形例に係る図であって、収納箱２７２の拡大断面図である。以下の説明では、上述した実施形態と同様の構成については同一の符号を付して説明を省略する。
図７に示す収納箱２７２において、底壁８８の前端部には上方に向けて支持壁２００が立設されている。一方、下側板２９７において、下本体部２２０の下端には、下方に向けて係合壁２０１が延設されている。係合壁２０１は、下側板２９７が上側板９６（図５参照）に装着された状態（作業開口９９が閉塞された状態）において、支持壁２００に前後方向の内側から係合（当接）している。なお、本変形例では、例えば係合壁２０１の下端が底壁８８の上面に当接し、又は下本体部２２０の下端が支持壁２００の上端に当接することで、下側板２９７が底壁８８に下方から支持されている。
【００６０】
本変形では、下側板２９７と上側板９６との装着解除後、下側板２９７の上部を把持して前側に移動させることで、下側板２９７が係合壁２０１及び底壁８８の支持壁２００の当接部分を支点にして回動する。これにより、下側板２９７が取り外され、作業開口９９が開放される。
【００６１】
なお、本発明の技術範囲は、上述した各実施形態に限定されるものではなく、本発明の趣旨を逸脱しない範囲において、上述した実施形態に種々の変更を加えたものを含む。
例えば、上述した実施形態では、テーブルシステム１に本発明の配線収納什器４を採用した場合について説明したが、テーブルシステム１以外の什器に採用しても構わない。
上述した実施形態では、本発明の仕切部が収納箱７２の一部（前壁９５）である構成について説明したが、この構成のみに限らず、仕切部材は第１エリアと第２エリアとを仕切る壁であれば構わない。
なお、第１エリアは、通常、各種配線が仕切部材によって第２エリアからは視認不能とされ、作業開口を通じて利用者がアクセスできるエリアであれば構わない。また、第２エリアは、利用者が什器の利用目的に照らし合わせて通常使用時にアクセス（利用）するエリアであれば構わない。
【００６２】
上述した実施形態では、下側板が上側板から取り外し可能な構成について説明したが、この構成のみに限られない。例えば、下側板が収納箱の一部に回動軸を介して回動可能に連結された構成であっても構わない。この場合、回動軸が下側板の下端や左右方向の両端部に連結されることで、例えば回動軸が下側板の上端に連結される場合と異なり、下側板が急に閉じてしまうことを抑制できる。
上述した実施形態では、本発明の第１仕切部及び第２仕切部が上下方向に並んだ構成について説明したが、この構成のみに限られない。例えば、第１仕切部及び第２仕切部が左右方向に並んでもよく、第２仕切部の周囲が第１仕切部に囲まれた構成であっても構わない。
上述した実施形態では、第１配線が照明配線２８であり、第２配線がアダプタ配線１６である構成について説明したが、この構成のみに限らず、種々の電気機器の配線を第１配線や第２配線に設定することが可能である。また、第１配線接続部及び第２配線接続部以外の配線接続部（電気機器）が設置された構成であっても構わない。
【００６３】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００６４】
１…テーブルシステム
４…配線収納什器
１２…天板
１５，１５Ｒ…配線接続部材
１６…アダプタ配線（第２配線）
２７…照明装置（第１配線接続部）
２８…照明配線（第１配線）
４２…配線通過口（第１連通孔）
８８…底壁（支持部）
９５…前壁（仕切部材）
９６…上側板（第１仕切部）
９７，２９７…下側板（第２仕切部）
９９…作業開口
１１０…前壁通過孔（第２連通孔）
【図１】
2018068940.tif 000003
【図２】
2018068940.tif 000004
【図３】
2018068940.tif 000005
【図４】
2018068940.tif 000006
【図５】
2018068940.tif 000007
【図６】
2018068940.tif 000008
【図７】
2018068940.tif 000009